(57)【特許請求の範囲】
【請求項１】
商品を収納する各収納棚に対応してそれぞれ設けられた商品選択ボタンと、収納棚の商品が売切れとなる前に商品収納を実施する基準となる収納実施残数を入力する収納実施残数入力手段と、収納棚に商品収納する作業を実施する毎に操作する収納作業実施ボタンと、各種データを表示する表示手段と、前回収納作業実施日から今回収納作業実施日までの期間とその期間内に販売された数量から販売推移を演算する販売推移演算手段、予め記憶された満杯収納数と前記販売推移演算手段で演算された販売推移から満杯収納後の商品残数が前記収納実施残数入力手段で入力された収納実施残数となる次回収納日を演算する収納日演算手段を有する主制御部とからなり、前記主制御部は、前記収納作業実施ボタンが操作されると、前記販売推移演算手段により収納棚毎の販売推移を演算し、前記収納日演算手段により収納棚毎の次回収納日を演算し、前記商品選択ボタンが操作されると、前記商品選択ボタンに対応する収納棚の次回収納日を前記表示手段に表示する特徴とする自動販売機の制御装置。
【発明の詳細な説明】
【０００１】
【発明の属する技術分野】
本発明は複数個の商品を収納し、これらの商品を別個に販売する自動販売機において、適正な収納数又は次回収納日の表示を行う自動販売機の制御装置に関するものである。
【０００２】
【従来の技術】
近年、自動販売機の制御装置は、収納する商品の収納数管理を適正に実施することにより、収納作業回数の削減によるオペレート効率向上や余分に収納されている商品の冷却又は加熱を抑えることによる省エネルギー化が求められてきている。
【０００３】
従来の自動販売機の制御装置としては特開平６−２８５５８号公報に示されているものがある。
【０００４】
以下、図面を参照しながら上記従来の自動販売機の制御装置を説明する。
【０００５】
図７は、従来の自動販売機の制御装置の機能ブロック図である。図８は、従来の自動販売機の制御装置の動作を示すフローチャートである。
【０００６】
図７において、１は収容棚毎に商品の収納数と売切れ予告数を書込み記憶させるためのデータ記憶手段、２は収納棚からの商品搬出数をカウントする計数部、３は搬出数と収納数とに基づいて商品収納残数を演算する演算制御部、４は商品収納残数が売切れ予告数以下であるか否かを判定する判定部、５は商品収納残数が売切れ予告数以下である場合に表示信号を発生する表示信号発生部、６は売切れ予告表示を行う売切れ予告表示手段、７は記憶手段１、売切れ予告表示手段６と接続され計数部２、演算制御部３、判定部４、表示信号発生部５を有する制御部となっている。
【０００７】
以上のように構成された自動販売機の制御装置について、以下その動作を図８のフローチャートを参照して説明する。
【０００８】
まず、ステップＳ０１でデータ記憶手段１により収納数及び売切れ予告数の記憶を行う。次に、ステップＳ０２で制御部７は商品の販売が行われたか判定し、ステップＳ０３で販売された場合、商品の搬出数がカウントされ、ステップＳ０４で収納数から搬出数を減算して商品収納残数を算出する。
【０００９】
次に、ステップＳ０５で商品収納残数が売切れ予告数以下であるか否かを判定し、ステップＳ０６で売切れ予告数以下であれば表示信号の出力を行う。次に、ステップＳ０７で表示信号の出力があるか否かを判定し、ステップＳ０８で表示信号の出力があれば売切れ予告表示を行う。
【００１０】
【発明が解決しようとする課題】
しかしながら、上記従来の構成は、商品収納残数が売切れ予告数以下であるか否かを判定し、売切れ予告数以下であれば売切れ予告表示を行うだけであるため、オペレーターは売切れがいつ発生するか把握できず、商品収納作業時、商品の売切れ損失を発生させないように、前回収納日からの販売数を確認し、その販売実績から販売予測をおこない、次回収納日を考える必要があり非常に手間がかかるという欠点があった。
【００１１】
本発明は従来の課題を解決するもので、商品収納作業時、販売実績に連動した適正な次回収納日を表示することができる自動販売機の制御装置を提供することを目的とする。
【００１４】
【課題を解決するための手段】
本発明の請求項１に記載の発明は、商品を収納する各収納棚に対応してそれぞれ設けられた商品選択ボタンと、収納棚の商品が売切れとなる前に商品収納を実施する基準となる収納実施残数を入力する収納実施残数入力手段と、収納棚に商品収納する作業を実施する毎に操作する収納作業実施ボタンと、各種データを表示する表示手段と、前回収納作業実施日から今回収納作業実施日までの期間とその期間内に販売された数量から販売推移を演算する販売推移演算手段、予め記憶された満杯収納数と前記販売推移演算手段で演算された販売推移から満杯収納後の商品残数が前記収納実施残数入力手段で入力された収納実施残数となる次回収納日を演算する収納日演算手段を有する主制御部とからなり、前記主制御部は、前記収納作業実施ボタンが操作されると、前記販売推移演算手段により収納棚毎の販売推移を演算し、前記収納日演算手段により収納棚毎の次回収納日を演算し、前記商品選択ボタンが操作されると、前記商品選択ボタンに対応する収納棚の次回収納日を前記表示手段に表示する構成としたものであり、前記収納作業実施ボタン操作後、前記商品選択ボタンを押すと、前記収納日演算手段で演算された次回収納日が表示手段に表示されるので、容易に販売実績に連動した適正な次回収納日を確認できるという作用を有する。
【００１７】
【発明の実施の形態】
以下、本発明による自動販売機の制御装置の実施の形態について、図面を参照しながら説明する。
【００１８】
（実施の形態１）
図１は、本発明の実施の形態１による自動販売機の制御装置の機能ブロック図である。図２は、同実施の形態の動作を示すフローチャートである。
【００１９】
図１において、８は商品を収納する各収納棚に対応してそれぞれ設けられた商品選択ボタン、９は収納棚の商品が売切れとなる前に商品収納を実施する基準となる収納実施残数を入力する収納実施残数入力手段、１０は収納棚に商品収納する作業を実施する毎に操作する収納作業実施ボタン、１１は各種データを表示する表示手段である。
【００２０】
１２は前回収納作業実施日から今回収納作業実施日までの期間とその期間内に販売された数量から販売推移を演算する販売推移演算手段、１３ａは予め記憶された満杯収納数と販売推移演算手段１２で演算された販売推移から満杯収納後の商品残数が収納実施残数入力手段９で入力された収納実施残数となる次回収納日を演算する収納日演算手段である。
【００２１】
１４ａは商品選択ボタン８，収納実施残数入力手段９，収納作業実施ボタン１０，表示手段１１と接続され販売推移演算手段１２，収納日演算手段１３ａを備えた主制御部である。
【００２２】
以上のように構成された自動販売機の制御装置について、以下その動作を図２のフローチャートを参照して説明する。
【００２３】
まず、ステップＳ１１で収納作業実施ボタン１０が操作されると、ステップＳ１２で販売推移演算手段１２により前回収納作業実施日から今回収納作業実施日までの期間Ｔ０とその期間Ｔ０内に販売された収納棚毎の販売数Ｓ０ｎから収納棚毎の販売推移Ａｎを演算する。
【００２４】
本実施の形態では、収納棚毎の販売推移Ａｎと前回収納作業実施日から今回収納作業実施日までの期間Ｔ０，収納棚毎の販売数Ｓ０ｎの関係は（数１）で表される。
【００２５】
【数１】
0004569012.tif 000002
【００２６】
次に、ステップＳ１３で収納日演算手段１３ａにより収納実施残数入力手段９で入力された収納実施残数Ｌ０と予め記憶された収納棚毎の満杯収納数Ｋ０ｎと販売推移演算手段１２で演算された収納棚毎の販売推移Ａｎから満杯収納後の商品残数が収納実施残数入力手段９で入力された収納実施残数Ｌ０となる収納棚毎の次回収納日Ｄ０ｎを演算する。
【００２７】
本実施の形態では、収納棚毎の次回収納日Ｄ０ｎと収納実施残数入力手段９で入力された収納実施残数Ｌ０，予め記憶された収納棚毎の満杯収納数Ｋ０ｎ，販売推移演算手段１２で演算された収納棚毎の販売推移Ａｎの関係は（数２）で表される。
【００２８】
【数２】
0004569012.tif 000003
【００２９】
ステップＳ１４で商品選択ボタン８が押されたか否かを判定し、ステップＳ１５で押された場合、商品選択ボタン８に対応する収納棚の次回収納日Ｄ０ｎを表示手段１１に表示する。
【００３０】
以上のように本実施の形態の自動販売機の制御装置は、収納作業実施ボタン１０が操作されると、販売推移演算手段１２により収納棚毎の販売推移を演算し、収納日演算手段１３ａにより収納棚毎の次回収納日を演算し、商品選択ボタン８が操作されると、商品選択ボタン８に対応する収納棚の次回収納日を表示手段１１に表示するようにしているので、収納作業実施ボタン１０操作後、商品選択ボタン８を押すと、容易に販売実績に連動した適正な次回収納日を確認することができる。
【００３１】
（実施の形態２）
図３は、本発明の実施の形態２による自動販売機の制御装置の機能ブロック図である。図４は、同実施の形態の動作を示すフローチャートである。
【００３２】
図３において、８は商品を収納する各収納棚に対応してそれぞれ設けられた商品選択ボタン、９は収納棚の商品が売切れとなる前に商品収納を実施する基準となる収納実施残数を入力する収納実施残数入力手段、１０は収納棚に商品収納する作業を実施する毎に操作する収納作業実施ボタン、１１は各種データを表示する表示手段である。
【００３３】
１２は前回収納作業実施日から今回収納作業実施日までの期間とその期間内に販売された数量から販売推移を演算する販売推移演算手段、１３ｂは予め記憶された満杯収納数と販売推移演算手段１２で演算された販売推移から満杯収納後の商品残数が収納実施残数入力手段９で入力された収納実施残数となる次回収納日を演算する収納日演算手段、１５は収納日演算手段１３ｂで演算された収納棚毎の次回収納日で最も早い次回収納日を共通の次回収納日と判定する収納日判定手段、１６ａは収納日判定手段１５で判定された共通の次回収納日と販売推移演算手段１２で演算された販売推移をもとに共通の次回収納日までに販売される予測販売数を演算する販売数予測手段、販売数予測手段１６ａで演算された予測販売数と現在の商品残数から今回収納する必要がある必要収納数を演算する収納数演算手段である。
【００３４】
１４ｂは商品選択ボタン８，収納実施残数入力手段９，収納作業実施ボタン１０，表示手段１１と接続され販売推移演算手段１２，収納日演算手段１３ｂ，収納日判定手段１５，販売数予測手段１６ａ，収納数演算手段１７ａを備えた主制御部である。
【００３５】
以上のように構成された自動販売機の制御装置について、以下その動作を図４のフローチャートを参照して説明する。
【００３６】
まず、ステップＳ２１で収納作業実施ボタン１０が操作されると、ステップＳ２２で販売推移演算手段１２により前回収納作業実施日から今回収納作業実施日までの期間Ｔ０とその期間Ｔ０内に販売された収納棚毎の販売数Ｓ０ｎから収納棚毎の販売推移Ａｎを演算する。
【００３７】
本実施の形態では、収納棚毎の販売推移Ａｎと前回収納作業実施日から今回収納作業実施日までの期間Ｔ０，収納棚毎の販売数Ｓ０ｎの関係は（数１）で表される。
【００３８】
次に、ステップＳ２３で収納日演算手段１３ｂにより収納実施残数入力手段９で入力された収納実施残数Ｌ０と予め記憶された収納棚毎の満杯収納数Ｋ０ｎと販売推移演算手段１２で演算された収納棚毎の販売推移Ａｎから満杯収納後の商品残数が収納実施残数入力手段９で入力された収納実施残数Ｌ０となる収納棚毎の次回収納日Ｄ０ｎを演算する。
【００３９】
次に、ステップＳ２４で収納日判定手段１５により収納日演算手段１３ｂで演算された収納棚毎の次回収納日で最も早い次回収納日を共通の次回収納日Ｄ０と判定する。
【００４０】
次に、ステップＳ２５で販売数予測手段１６ａにより販売推移演算手段１２で演算された販売推移Ａｎと収納日判定手段１５で判定された共通の次回収納日Ｄ０をもとに収納日判定手段１５で演算された共通の次回収納日Ｄ０までに販売される収納棚毎の予測販売数Ｓ１ｎを演算する。
【００４１】
本実施の形態では、収納日判定手段１５で演算された共通の次回収納日までに販売される収納棚毎の予測販売数Ｓ１ｎと販売推移演算手段１２で演算された販売推移Ａｎ，収納日判定手段１５で判定された共通の次回収納日Ｄ０の関係は（数３）であらわされる。
【００４２】
【数３】
0004569012.tif 000004
【００４３】
ステップＳ２６で収納数演算手段１７により販売数予測手段１６ａで演算された予測販売数Ｓ１ｎと現在の商品残数Ｌ１ｎを比較し、ステップＳ２７で収納数演算手段１７ａにより販売数予測手段１６ａで演算された販売数Ｓ１ｎが現在の商品残数Ｌ１ｎ以下であれば今回収納する必要がある収納棚の必要収納数を０本とし、また、ステップＳ２８で収納数演算手段１７ａにより販売数予測手段１６ａで演算された販売数Ｓ１ｎが商品残数Ｌ１ｎ以下でなければ販売数予測手段１６ａで演算された販売数Ｓ１ｎと現在の商品残数Ｌ１ｎの差を収納棚の必要収納数とする。
【００４４】
ステップＳ２９で商品選択ボタン８が押されたか否かを判定し、ステップＳ２Ａで押された場合、商品選択ボタン８に対応する収納数演算手段１７ａで演算された収納棚の必要収納数と収納日判定手段１５で判定された共通の次回収納日Ｄ０を表示手段１１に表示する。
【００４５】
以上のように本実施の形態の自動販売機の制御装置は、収納作業実施ボタン１０が操作されると、販売推移演算手段１２により収納棚毎の販売推移を演算し、収納日演算手段１３ｂにより収納棚毎の次回収納日を演算し、収納日判定手段１５により収納日演算手段１３ｂで演算された収納棚の次回収納日で最も早い次回収納日を共通の次回収納日と判定し、販売数予測手段１６ａにより販売推移演算手段１２で演算された販売推移と収納日判定手段１５で判定された共通の次回収納日をもとに収納日判定手段１５で判定された共通の次回収納日までに販売される収納棚毎の予測販売数を演算し、収納数演算手段１７ａにて販売数予測手段１６ａで演算された予測販売数と現在の商品残数から今回収納する必要がある収納棚毎の必要収納数を演算し、商品選択ボタン８が操作されると、商品選択ボタン８に対応する収納数演算手段１７ａで演算された収納棚の必要収納数と収納日判定手段１５で判定された共通の次回収納日を表示手段１１に表示するようにしているので、収納作業実施ボタン１０操作後、商品選択ボタン８を押すと、容易に販売実績に連動した次回収納日に対する適正な収納数を表示することができる。
【００４６】
（実施の形態３）
図５は、本発明の実施の形態３による自動販売機の制御装置の機能ブロック図である。図６は、同実施の形態の動作を示すフローチャートである。
【００４７】
図５において、８は商品を収納する各収納棚に対応してそれぞれ設けられた商品選択ボタン、１８は次回収納日を入力する次回収納日入力手段、１０は収納棚に商品収納する作業を実施する毎に操作する収納作業実施ボタン、１１は各種データを表示する表示手段である。
【００４８】
１２は前回収納作業実施日から今回収納作業実施日までの期間とその期間内に販売された数量から販売推移を演算する販売推移演算手段、１６ｂは次回収納日入力手段１８で入力された次回収納日と販売推移演算手段１２で演算された販売推移をもとに次回収納日入力手段１８で入力された次回収納日までに販売される予測販売数を演算する販売数予測手段、１７ｂは販売数予測手段１６ｂで演算された予測販売数と現在の商品残数から今回収納する必要がある必要収納数を演算する収納数演算手段である。
【００４９】
１４ｃは商品選択ボタン８，次回収納日入力手段１８，収納作業実施ボタン１０，表示手段１１と接続され販売推移演算手段１１，販売数予測手段１６ｂ，収納数演算手段１７ｂを備えた主制御部である。
【００５０】
以上のように構成された自動販売機の制御装置について、以下その動作を図６のフローチャートを参照して説明する。
【００５１】
まず、ステップＳ３１で収納作業実施ボタン１０が操作されると、ステップＳ３２で販売推移演算手段１２により前回収納作業実施日から今回収納作業実施日までの期間Ｔ０とその期間Ｔ０内に販売された収納棚毎の販売数Ｓ０ｎから収納棚毎の販売推移Ａｎを演算する。
【００５２】
本実施の形態では、収納棚毎の販売推移Ａｎと前回収納作業実施日から今回収納作業実施日までの期間Ｔ０，収納棚毎の販売数Ｓ０ｎの関係は（数１）で表される。
【００５３】
次に、ステップＳ３３で次回収納日入力手段１８により次回収納日Ｄ１が入力されると、ステップ３４で販売数予測手段１６ｂにより販売推移演算手段１１で演算された販売推移Ａｎ，次回収納日入力手段１８で入力された次回収納日Ｄ１をもとに次回収納日入力手段１８で入力された次回収納日Ｄ１までに販売される収納棚毎の予測販売数Ｓ２ｎを演算する。
【００５４】
本実施の形態では、収納棚毎の予測販売数Ｓ２ｎと販売推移演算手段１１で演算された販売推移Ａｎ，次回収納日入力手段１８で入力された次回収納日Ｄ１の関係は（数４）で表される。
【００５５】
【数４】
0004569012.tif 000005
【００５６】
ステップＳ３５で収納数演算手段１７ｂにより販売数予測手段１６ｂで演算された予測販売数Ｓ２ｎと現在の商品残数Ｌ１ｎを比較し、ステップＳ３６で収納数演算手段１７ｂにより販売数予測手段１６ｂで演算された販売数Ｓ２ｎが現在の商品残数Ｌ１ｎ以下であれば今回収納する必要がある収納棚の必要収納数を０本とし、また、ステップＳ３７で収納数演算手段１７ｂにより販売数予測手段１６ｂで演算された販売数Ｓ２ｎが商品残数Ｌ１ｎ以下でなければ販売数予測手段１６ｂで演算された販売数Ｓ２ｎと現在の商品残数Ｌ１ｎの差を収納棚の必要収納数とする。
【００５７】
ステップＳ３８で商品選択ボタン８が押されたか否かを判定し、ステップＳ３９で押された場合、商品選択ボタン８に対応する収納数演算手段１７ｂで演算された収納棚の必要収納数を表示手段１１に表示する。
【００５８】
以上のように本実施の形態の自動販売機の制御装置は、収納作業実施ボタン１０が操作されると、販売推移演算手段１２により収納棚毎の販売推移を演算し、販売数予測手段１６ｂにより販売推移演算手段１２で演算された販売推移と次回収納日入力手段１８で入力された次回収納日をもとに次回収納日入力手段１８で入力された収納棚毎の次回収納日までに販売される予測販売数を演算し、収納数演算手段１７ｂにて販売数予測手段１６ｂで演算された予測販売数と現在の商品残数から今回収納する必要がある収納棚毎の必要収納数を演算し、商品選択ボタン８が操作されると、商品選択ボタン８に対応する収納数演算手段１７ｂで演算された収納棚の必要収納数を表示手段１１に表示するようにしているで、収納作業実施ボタン１０操作後、次回収納日入力手段１８で次回収納日が入力され、商品選択ボタン８を押すと、容易に次回収納日に対する販売実績に連動した適正な収納数を表示することができる。
【００５９】
【発明の効果】
以上説明したように請求項１に記載の発明は、収納作業実施ボタンが操作されると、販売推移演算手段により収納棚毎の販売推移を演算し、収納日演算手段により収納棚毎の次回収納日を演算し、商品選択ボタンが操作されると、商品選択ボタンに対応する収納棚の次回収納日を表示手段に表示するようにしたので、商品収納作業時、各収納棚に対応する商品選択ボタンを押すと、容易に販売実績に連動した適正な次回収納日を確認することができ、オペレーターは自ら次回収納日を考える必要がなくなり、また販売数に連動した適正な収納日に収納することにより無駄な収納作業を削減でき、オペレート効率を向上させることができる。
【図面の簡単な説明】
【図１】本発明による自動販売機の制御装置の実施の形態１の機能ブロック図
【図２】同実施の形態の自動販売機の制御装置の動作を示すフローチャート
【図３】本発明による自動販売機の制御装置の実施の形態２の機能ブロック図
【図４】同実施の形態の自動販売機の制御装置の動作を示すフローチャート
【図５】本発明による自動販売機の制御装置の実施の形態３の機能ブロック図
【図６】同実施の形態の自動販売機の制御装置の動作を示すフローチャート
【図７】従来の自動販売機の制御装置の機能ブロック図
【図８】従来の自動販売機の制御装置の動作を示すフローチャート
【符号の説明】
８  商品選択ボタン
９  収納実施残数入力手段
１０  収納作業実施ボタン
１１  表示手段
１２  販売推移演算手段
１３ａ，１３ｂ  収納日演算手段
１４ａ，１４ｂ，１４ｃ  主制御部
１５  収納日判定手段
１６ａ，１６ｂ  販売数予測手段
１７ａ，１７ｂ  収納数演算手段
１８  次回収納日入力手段
【図１】
0004569012.tif 000006
【図２】
0004569012.tif 000007
【図３】
0004569012.tif 000008
【図４】
0004569012.tif 000009
【図５】
0004569012.tif 000010
【図６】
0004569012.tif 000011
【図７】
0004569012.tif 000012
【図８】
0004569012.tif 000013